(57)【要約】【課題】カードの挿入を受け付けて、カードの端部を基板に接続するように構成されたカードコネクタを有する電子機器において、ユーザがカードを挿入するための正しい挿入態様をいっそう容易に認識できる技術を提供する。【解決手段】電子機器１０は、ＵＳＩＭカード１３５の挿入を受け付けて、ＵＳＩＭカード１３５の端部を基板に接続するように構成されたカードコネクタと、情報を報知するためのディスプレイ１４２などの報知部と、電子機器１０の動作を制御するためのプロセッサとを備える。プロセッサは、ＵＳＩＭカード１３５がカードコネクタに挿入されている方向またはＵＳＩＭカード１３５がカードコネクタに挿入される面の向きの少なくともいずれかを判定し、判定結果に基づいて、ＵＳＩＭカード１３５の挿入態様をユーザに認識させる情報をディスプレイ１４２等により報知する。【選択図】図５
2017102772.tif 000002
【特許請求の範囲】
【請求項１】
電子機器であって、
カードの挿入を受け付けて、カードの端部を基板に接続するように構成されたカードコネクタと、
情報を報知するように構成された報知部と、
前記電子機器の動作を制御するための制御部とを備え、
前記制御部は、
前記カードが前記カードコネクタに挿入されている方向または前記カードが前記カードコネクタに挿入される面の向きの少なくともいずれかを判定する向き判定部と、
前記向き判定部による判定結果に基づいて、前記カードの挿入態様をユーザに認識させる情報を前記報知部により報知する報知処理部とを含む、電子機器。
【請求項２】
前記カードは、矩形形状の角のいずれか１つが切りかけられた切りかけ部を含み、
前記向き判定部が行う処理は、前記カードコネクタに前記カードが挿入された場合の前記カードの前記切りかけ部の位置を検出することにより前記判定を行うことを含む、請求項１に記載の電子機器。
【請求項３】
前記カードコネクタは、前記カードの挿入を受け付けた場合に前記カードの角と接触することで前記カードの角を検出する機構を有しており、
前記向き判定部は、前記カードコネクタの前記検出する機構の検出結果に基づいて、前記カードの切りかけ部の位置を検出する、請求項２に記載の電子機器。
【請求項４】
前記報知処理部は、前記向き判定部による判定結果に基づいて、前記カードの挿入方法を前記電子機器のユーザに案内する内容を含む前記報知を行う、請求項１から３のいずれか１項に記載の電子機器。
【請求項５】
前記報知処理部は、前記向き判定部による判定結果に基づいて、前記カードのサイズが前記カードコネクタに適合していないことを示す前記報知を行う、請求項１から３のいずれか１項に記載の電子機器。
【発明の詳細な説明】
【技術分野】
【０００１】
本開示は、カードの挿入を受け付けて、カードの端部を基板に接続させるカードコネクタを有する電子機器において、ユーザがカードをカードコネクタに挿入する操作を容易にする技術に関する。
【背景技術】
【０００２】
従来より、カードの挿入を受け付けて、カードの端部を基板に接続させることで、電子機器に一定の機能を発揮させている。例えば、電子機器は、ＵＩＭカード（User  Identity  Module  Card）またはＵＳＩＭカード（Universal  Subscriber  Identity  Module  Card）の挿入を受け付けて、ＬＴＥ（Long  Term  Evolution）など移動体通信システムの通信規格に従った無線基地局との通信を行うことができる。また、世界各国の通信事業者が提供する移動体通信システムなどのサービスを利用するため、ユーザは、電子機器にＵＩＭカードなどのカードを挿入する操作をしている。そのため、カードの誤挿入を防止する、または、ユーザがカードの誤挿入を容易に認識できるようにすることで、ユーザの利便性を高めることができる。例えば、特開２０１２−１１９０６６号公報（特許文献１）は、カードがカードコネクタに誤った向きで挿入されることを防止するための仕組みが記載されている。
【先行技術文献】
【特許文献】
【０００３】
【特許文献１】特開２０１２−１１９０６６号公報
【発明の概要】
【発明が解決しようとする課題】
【０００４】
ユーザがＵＩＭカードなどのカードをカードコネクタに挿入した場合に、電子機器がカードの認識に失敗したとき、電子機器は、例えば、カードが認識できない旨の報知をディスプレイなどで行うことで、ユーザに対し、カードの挿入が失敗したことを認識させる。
【０００５】
ここで、カードコネクタの構造的な特徴により、カードを挿入する方向が規制される場合（正しい向きでしかカードをカードコネクタに挿入できない場合）は、ユーザは、カードをカードコネクタに挿入する方向を容易に認識できる。
【０００６】
しかし、カードを挿入する方向を規制する構造をカードコネクタ自体が有しない場合は、カードをカードコネクタに挿入する向きが複数種類あるため、カードをカードコネクタに挿入するための正しい挿入方向を、カードコネクタの外観からはユーザが容易に認識できないことがある。その結果、ユーザは、正しい挿入方向を発見するまで、カードコネクタに対して何度もカードの挿入を試みることとなる。
【０００７】
したがって、カードの挿入を受け付けて、カードの端部を基板に接続するように構成されたカードコネクタを有する電子機器において、ユーザがカードを挿入するための正しい挿入態様をいっそう容易に認識できる技術が必要とされている。本開示は、ユーザがカードをカードコネクタに対していっそう容易に挿入する技術を提供することを目的としている。
【課題を解決するための手段】
【０００８】
一実施形態に従う電子機器は、カードの挿入を受け付けて、カードの端部を基板に接続するように構成されたカードコネクタと、情報を報知するように構成された報知部と、電子機器の動作を制御するための制御部とを備える。制御部は、カードがカードコネクタに挿入されている方向またはカードがカードコネクタに挿入される面の向きの少なくともいずれかを判定する向き判定部と、向き判定部による判定結果に基づいて、カードの挿入態様をユーザに認識させる情報を報知部により報知する報知処理部とを含む。
【発明の効果】
【０００９】
一実施形態によると、電子機器は、ユーザに対し、カードコネクタに対するカードの挿入結果を示す情報を報知するため、カードの挿入を誤った場合に、容易にカードを再挿入することができる。
【００１０】
この発明の上記および他の目的、特徴、局面および利点は、添付の図面と関連して理解されるこの発明に関する次の詳細な説明から明らかとなるであろう。
【図面の簡単な説明】
【００１１】
【図１】本実施形態の電子機器１０の外観およびＵＳＩＭカード１３５の外観を示す図である。
【図２】電子機器１０の機能的な構成を示すブロック図である。
【図３】ＵＳＩＭカード１３５がカードコネクタ１３２に挿入される挿入態様を判別するための機構を示す図である。
【図４】報知内容テーブル１５１のデータ構造を示す図である。
【図５】カードコネクタ１３２に対するＵＳＩＭカード１３５の挿入態様を検出するための第１のスイッチ１３２Ａの構造の概略と、ユーザへの報知方法の例を示す図である。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
＜実施の形態＞
本実施形態では、カードコネクタを備える電子機器として、スマートフォンを例にして説明する。電子機器は、ＵＳＩＭカードの装着をカードコネクタで受け付ける。電子機器は、ＵＳＩＭカードに記録された情報に基づいて、移動体通信事業者が提供する移動体通信サービスを利用する。
【００１４】
図１は、本実施形態の電子機器１０の外観およびＵＳＩＭカード１３５の外観を示す図である。図１の外観（Ａ）は、電子機器１０のディスプレイ１４２が筐体に配置される面を表面とした場合の、電子機器１０の表面の外観を示す図である。図１の外観（Ｂ）は、電子機器１０の裏面の外観を示す図である。なお、電子機器１０は、裏面のカバーを取り外した状態で電池パックの取り出しおよび取り付けを可能としている。
【００１５】
外観（Ｂ）は、電子機器１０から電池パックを取り外した状態を示す。外観（Ｂ）に示すように、電子機器１０は、電子機器１０の電池パックを外した状態で、ＵＳＩＭカード１３５の装着を受け付けるためのカードコネクタ１３２が露出する構造となっている。
【００１６】
外観（Ｃ）は、ＵＳＩＭカード１３５の外観を示す。ＵＳＩＭカード１３５は、矩形形状の角のいずれか１つが切りかけられた切りかけ部１３５Ａを含む。
【００１７】
＜構成＞
図２は、電子機器１０の機能的な構成を示すブロック図である。
【００１８】
図２に示すように、電子機器１０は、アンテナ１０１と、無線通信部１１１と、物理操作キー１３１と、操作受付部（タッチパネル）１４１と、ディスプレイ１４２と、音声処理部１４６と、マイク１４７と、スピーカ１４８と、記憶部１５０と、制御部１６０とを含む。
【００１９】
アンテナ１０１は、電子機器１０が発する信号を電波として放射する。また、アンテナ１０１は、空間から電波を受信して受信信号を無線通信部１１１へ与える。本実施形態では、電子機器１０は、複数の無線通信規格に対応している。
【００２０】
無線通信部１１１は、電子機器１０が他の無線機器と通信するため、アンテナ１０１等を介して信号を送受信するための変復調処理などを行う。無線通信部１１１は、チューナー、ＲＳＳＩ（Received  Signal  Strength  Indicator）算出回路、ＣＲＣ（Cyclic  Redundancy  Check）算出回路、高周波回路などを含む通信モジュールである。無線通信部１１１は、電子機器１０が送受信する無線信号の変復調や周波数変換を行い、受信信号を制御部１６０へ与える。
【００２１】
物理操作キー１３１は、物理的な入力装置であり、ユーザによる押下操作を受け付ける。物理操作キー１３１は、ユーザの押下操作に応じて、操作内容を示す信号を制御部１６０へ出力する。
【００２２】
カードコネクタ１３２は、ＵＳＩＭカード１３５の挿入を受け付けて、ＵＳＩＭカード１３５の端部を基板に接続するように構成されている。カードコネクタ１３２は、ＵＳＩＭカード１３５の挿入を受け付けた場合にＵＳＩＭカード１３５の角と接触することでＵＳＩＭカード１３５の角を検出する機構を有している。
【００２３】
操作受付部１４１は、ユーザの入力操作を受け付ける。操作受付部１４１は、例えば静電容量方式のタッチパネルを用いることによって、ユーザの接触位置を検出する。操作受付部１４１は、検出したユーザの接触位置を示す信号を入力操作として制御部１６０へ出力する。
【００２４】
ディスプレイ１４２は、制御部１６０の制御に応じて、画像、動画、テキストなどのデータを表示する。ディスプレイ１４２は、例えばＬＣＤ（Liquid  Crystal  Display）や有機ＥＬ（Electro-Luminescence）ディスプレイによって実現される。
【００２５】
音声処理部１４６は、音声信号の変復調を行う。音声処理部１４６は、マイク１４７から与えられる信号を変調して、変調後の信号を制御部１６０へ与える。また、音声処理部１４６は、音声信号をスピーカ１４８へ与える。音声処理部１４６は、例えば音声処理用のプロセッサによって実現される。マイク１４７は、音声入力を受け付けて、当該音声入力に対応する音声信号を音声処理部１４６へ与える。スピーカ１４８は、音声処理部１４６から与えられる音声信号を音声に変換して当該音声を電子機器１０の外部へ出力する。
【００２６】
報知部１４０は、電子機器１０のユーザに対して、映像、音声その他の手段により情報を報知する。図２に示すように、報知部１４０を構成するものとして、ディスプレイ１４２とスピーカ１４８とを示している。
【００２７】
記憶部１５０は、例えばフラッシュメモリ等により構成され、電子機器１０が使用するデータおよびプログラムを記憶する。ある局面において、記憶部１５０は、報知内容テーブル１５１を記憶する。
【００２８】
報知内容テーブル１５１は、カードコネクタ１３２に対するＵＳＩＭカード１３５の挿入態様（ＵＳＩＭカード１３５がどのようにカードコネクタ１３２に挿入されているか）と、報知部１４０によって報知する内容とを対応付けた情報である。
【００２９】
制御部１６０は、記憶部１５０に記憶されるプログラムを読み込んで、プログラムに含まれる命令を実行することにより、電子機器１０の動作を制御する。制御部１６０は、例えばアプリケーションプロセッサである。制御部１６０は、プログラムに従って動作することにより、向き判定部１６１と、報知処理部１６２としての機能を発揮する。
【００３０】
向き判定部１６１は、カードコネクタ１３２から出力される信号に基づいて、ＵＳＩＭカード１３５がカードコネクタ１３２に挿入されている方向またはＵＳＩＭカード１３５がカードコネクタ１３２に挿入される面の向きの少なくともいずれかを判定する。向き判定部１６１は、カードコネクタ１３２にＵＳＩＭカード１３５が挿入された場合のＵＳＩＭカード１３５の切りかけ部１３５Ａの位置を検出することにより、判定を行う。向き判定部１６１は、カードコネクタ１３２の機構の、ＵＳＩＭカード１３５の角の検出結果に基づいて、ＵＳＩＭカード１３５の切りかけ部１３５Ａの位置を検出する。
【００３１】
報知処理部１６２は、向き判定部１６１による判定結果に基づいて、ＵＳＩＭカード１３５の挿入態様をユーザに認識させる情報を、報知部１４０（例えばディスプレイ１４２に情報を表示する、スピーカ１４８から音声により情報を出力するその他の方法）により報知する。報知処理部１６２は、向き判定部１６１による判定結果に基づいて、ＵＳＩＭカード１３５の挿入方法を電子機器１０のユーザに案内する内容を含む報知を報知部１４０によって行わせる。また、報知処理部１６２は、向き判定部１６１による判定結果に基づいて、ＵＳＩＭカード１３５のサイズがカードコネクタ１３２に適合していないことを示す報知を報知部１４０によって行わせる。
【００３２】
＜カードの挿入態様の検出機構＞
図３は、ＵＳＩＭカード１３５がカードコネクタ１３２に挿入される挿入態様を判別するための機構を示す図である。
【００３３】
図３に示すように、カードコネクタ１３２は、ＵＳＩＭカード１３５の挿入を受け付けるように構成されている。カードコネクタ１３２は、ＵＳＩＭカード１３５の挿入を受け付けた状態で、ＵＳＩＭカード１３５の角が接触することで押下されるスイッチ部（第１のスイッチ１３２Ａ、第１のスイッチ１３２Ｂ、第１のスイッチ１３２Ｃおよび第１のスイッチ１３２Ｄ）を含む。
【００３４】
図３の状態（Ａ）は、カードコネクタ１３２に対してＵＳＩＭカード１３５が挿入されていない状態を示す。状態（Ａ）は、各スイッチのいずれもが押下されていない状態（未挿入）を示す。
【００３５】
図３の状態（Ｂ）は、カードコネクタ１３２に対してＵＳＩＭカード１３５が正しく挿入されている状態を示す。状態（Ｂ）は、各スイッチのうち、第１のスイッチ１３２Ａ、第１のスイッチ１３２Ｂおよび第１のスイッチ１３２Ｄが押下されている状態を示す。
【００３６】
図３の状態（Ｃ）は、カードコネクタ１３２に対してＵＳＩＭカード１３５の上下を逆にしてＵＳＩＭカード１３５が挿入されている状態を示す。状態（Ｃ）は、各スイッチのうち、第１のスイッチ１３２Ａ、第１のスイッチ１３２Ｃおよび第１のスイッチ１３２Ｄが押下されている状態を示す。
【００３７】
図３の状態（Ｄ）は、カードコネクタ１３２に対してＵＳＩＭカード１３５の裏表を逆にしてＵＳＩＭカード１３５が挿入されている状態を示す。状態（Ｄ）は、各スイッチのうち、第１のスイッチ１３２Ｂ、第１のスイッチ１３２Ｃおよび第１のスイッチ１３２Ｄが押下されている状態を示す。
【００３８】
図３の状態（Ｅ）は、カードコネクタ１３２に対してＵＳＩＭカード１３５の裏表および上下を逆にしてＵＳＩＭカード１３５が挿入されている状態を示す。状態（Ｅ）は、各スイッチのうち、第１のスイッチ１３２Ａ、第１のスイッチ１３２Ｂおよび第１のスイッチ１３２Ｃが押下されている状態を示す。
【００３９】
このように、カードコネクタ１３２に対してＵＳＩＭカード１３５のサイズが適合している場合は、各スイッチのうち、いずれか１つのスイッチが押下されていない状態となり、他のスイッチは押下されている状態となる。そのため、向き判定部１６１は、各スイッチの検出結果に基づいて、ＵＳＩＭカード１３５がカードコネクタ１３２に挿入されている方向および挿入される面の向きを判定することができる。
【００４０】
図３の状態（Ｆ）は、カードコネクタ１３２に対してＵＳＩＭカード１３５が十分に挿入されていない状態、または、ＵＳＩＭカード１３５の大きさ（サイズ）が適合していない状態を示す。状態（Ｆ）は、各スイッチのうち、２つ押下されていないスイッチがある（第１のスイッチ１３２Ａおよび第１のスイッチ１３２Ｃ）。
【００４１】
＜データ＞
図４は、報知内容テーブル１５１のデータ構造を示す図である。報知内容テーブル１５１のレコードは、スイッチ検出結果１５１Ａと、報知内容１５１Ｂとを含む。
【００４２】
スイッチ検出結果１５１Ａは、カードコネクタ１３２の各スイッチの検出結果のパターンを示す。スイッチ検出結果１５１Ａのそれぞれは、図３に示す各検出結果と対応する。例えば、検出結果「検出パターンＡ」は、図３の状態（Ａ）に対応する。検出結果「検出パターンＢ」は、図３の状態（Ｂ）に対応する。検出結果「検出パターンＣ」は、図３の状態（Ｃ）に対応する。検出結果「検出パターンＤ」は、図３の状態（Ｄ）に対応する。検出結果「検出パターンＥ」は、図３の状態（Ｅ）に対応する。検出結果「パターンＦ」は、図３の状態（Ｆ）に対応する。なお検出パターンの種類はこれらに限られない。
【００４３】
＜動作例＞
図５は、カードコネクタ１３２に対するＵＳＩＭカード１３５の挿入態様を検出するための第１のスイッチ１３２Ａの構造の概略と、ユーザへの報知方法の例を示す図である。
【００４４】
図５の状態（Ａ）は、カードコネクタ１３２において、第１のスイッチ１３２ＡがＵＳＩＭカード１３５と接触しておらず、第１のスイッチ１３２Ａが押下されていない状態を示す。
【００４５】
図５の状態（Ｂ）は、カードコネクタ１３２にＵＳＩＭカード１３５が挿入されることによりＵＳＩＭカード１３５が第１のスイッチ１３２Ａと接触して第１のスイッチ１３２Ａが押下されている状態を示す。カードコネクタ１３２は、第１のスイッチ１３２Ａが押下されているか否かに応じた信号を制御部１６０に出力する。
【００４６】
図５の状態（Ｃ）は、電子機器１０が報知内容テーブル１５１を参照し、カードコネクタ１３２の各スイッチが押下されているか否かに応じて、電子機器１０のユーザに対してディスプレイ１４２により情報を報知する例を示す。図５の状態（Ｃ）の例では、図３に示す状態（Ｂ）、および、図４に示す検出結果「検出パターンＢ」に対応して、ユーザがＵＳＩＭカード１３５をカードコネクタ１３２に挿入した方向および向きは正しいものの、電子機器１０がＵＳＩＭカード１３５を認識できないことを示す情報を電子機器１０がディスプレイ１４２により報知する。
【００４７】
図５の状態（Ｄ）は、電子機器１０が、ディスプレイ１４２への情報の表示の他に、スピーカ１４８による音声出力によって、ＵＳＩＭカード１３５のカードコネクタ１３２への挿入態様をユーザに認識させる情報を報知する例を示す。
【００４８】
＜まとめ＞
本実施形態に関連する技術として、従来、ユーザがスマートフォンなどの通信端末にＵＳＩＭなどのカードを挿入した場合に、カードの挿入方法が適切でないと、ディスプレイに表示内容「ＵＳＩＭを認識できません」等を表示するものがある。この場合、ユーザは、ＵＳＩＭカードを通信端末に再度挿入する操作を行うが、再挿入時に、カードを、カードの挿入方向およびカードの面の向きを維持したまま挿しなおせばよいのか、それともカードの面を裏表逆にして挿入しなおせばよいのか、カードの上下方向を逆にして挿入しなおせばよいのか直ちにわからないことがある。そのため、関連する技術の構成によると、ユーザに対し、ＵＳＩＭカードを再挿入させる操作を煩雑にするおそれがある。すなわち、カードコネクタに対して複数通りのカードの挿入態様が可能であり、また、ユーザがカードコネクタに対する正しいカードの挿入態様を外見で認識できない場合は、ユーザは、全ての挿入態様のパターンを試すことになるおそれがある。
【００４９】
また、他に関連する技術として、カードコネクタに対してカードを挿入する方向および挿入する面の向きを規制する機構をカードコネクタに設けることがある。この場合、物理的にカードの誤挿入を防止する機構を設けることとなるため、カードコネクタに対するカードの挿入態様が１通りとなるが、誤挿入を防止するためのトレイを採用することでカードコネクタの厚みが増すなどの機構的な制限も受けやすくなる。
【００５０】
これに対し、本実施形態の電子機器は、カードコネクタに対するカードの誤挿入そのものを防止するのではなく、カードがどのようにカードコネクタに誤挿入されたかを検知する。電子機器は、この検知の結果をユーザに通知することで、前述の関連する技術の課題を解決する。電子機器は、次にユーザに対して促したい行動をユーザに報知する。
【００５１】
ＳＩＭカードなどのカードは、四隅の一つに切りかけ部を含む形状となっている。したがって、カードの四隅のうち、切りかけ部を特定すること（または、切りかけられていない三隅の位置を特定すること）により、電子機器は、ＳＩＭカードの挿入態様を判断することができる。
【００５２】
また、電子機器は、カードの四隅のうち、欠けていない三隅の位置が特定できない場合、カードが挿入されていない、あるいは、カードのサイズが適合していない（誤ったサイズのカードをユーザがカードコネクタに挿入しようとしている）と判断する。
【００５３】
なお、カードの隅の位置を特定する方法は、実施の形態では、物理的にスイッチを押し下げる方式を説明したが、これに限られない。
【００５４】
ユーザは、ＳＩＭなどのカードが正しく電子機器に認識されていないことを画面で知覚するとともに、カードをカードコネクタへ挿入する向きが合っているのか、あるいは間違っている場合はどのように間違っているのかを知覚することができる。そのため、ユーザがカードをカードコネクタに再度挿入する操作の際に、カードの挿入態様がいずれであっても、現在の挿入態様がカードコネクタに適合しているのか、あるいは挿入態様が間違っている場合はどのように間違っているのかをユーザが容易に知覚することができる。そのため、ユーザは、カードを再挿入する操作の際に、カードの向きが適合しているか等の不安もなく、カードの再挿入をすることができる。
【００５５】
本実施の形態に係るシステムを構成する各装置は、プロセッサと、その上で実行されるプログラムにより実現される。本実施の形態を実現するプログラムは、通信インタフェースを介してネットワークを利用した送受信等により提供される。
【００５６】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００５７】
１０  電子機器、１０１  アンテナ、１１１  無線通信部、１３１  物理操作キー、１３２  カードコネクタ、１３２Ａ  第１のスイッチ、１３２Ｂ  第２のスイッチ、１３２Ｃ  第３のスイッチ、１３２Ｄ  第４のスイッチ、１３５  ＵＳＩＭカード、１３５Ａ  切りかけ部、１４０  報知部、１４１  操作受付部、１４２  ディスプレイ、１４６  音声処理部、１４７  マイク、１４８  スピーカ、１５０  記憶部、１５１  報知内容テーブル、１５１Ａ  スイッチ検出結果、１５１Ｂ  報知内容、１６０  制御部、１６１  向き判定部、１６２  報知処理部。
【図１】
2017102772.tif 000003
【図２】
2017102772.tif 000004
【図３】
2017102772.tif 000005
【図４】
2017102772.tif 000006
【図５】
2017102772.tif 000007